(57)【要約】【課題】端子との通電の機構そのものを変更することで、点検、試験の際に目的の端子以外の端子、アースバー、筺体に触れて電源回路が短絡あるいは接地することを防止でき、しかもその点検、試験作業を迅速かつ簡単に実施する。【解決手段】制御装置の接続点検、試験される個々の端子ｔを挟むクリップが鰐口状になり、上側クリップ片２と下側クリップ片３共に絶縁性を有する素材から成り、下側クリップ片３は端子ｔを捉える挟持部７と、挟持部７に連続して抜止め部８を先端側に形成し、この下側クリップ片３内において、下側クリップ片３の長手方向、かつ先端側へ出没自在に移動する導通具４を備えた。【選択図】図１
2009301818.tif 000002
【特許請求の範囲】
【請求項１】
制御装置の接続点検、試験される個々の端子（ｔ）を挟むクリップが鰐口状になる接続用クリップであって、
前記端子（ｔ）を挟む鋸部（５）を先端側に形成した、絶縁性を有する素材から成る上側クリップ片（２）と、
前記上側クリップ片（２）と対向するように軸支する支持部（６）と、前記端子（ｔ）を捉える挟持部（７）と、該挟持部（７）に連続して抜止め部（８）を先端側に形成した、絶縁性を有する素材から成る下側クリップ片（３）と、
前記下側クリップ片（３）内において、該下側クリップ片（３）の長手方向、かつ先端側へ出没自在に移動する導通具（４）と、を備えた、ことを特徴とする接続用クリップ。
【請求項２】
前記導通具（４）は、
前記下側クリップ片（３）の先端側に、該下側クリップ片（３）の挟持部（７）の側縁から浮き出る程度の厚みを有する金属製の導通片（１０）を配置し、
該下側クリップ片（３）内に、該導通片（１０）を押し出す押出し棒（１３）と操作用ボタン（１２）とを配置したものである、ことを特徴とする請求項１の接続用クリップ。
【請求項３】
前記導通片（１０）を前記下側クリップ片（３）の後端側へ常時引張るように、弾性部材（１４）を該導通片（１０）と該下側クリップ片（３）とに介在させた、ことを特徴とする請求項２の接続用クリップ。
【請求項４】
前記導通片（１０）は、その先端側が薄くなるように傾斜面（１５）を形成したものである、ことを特徴とする請求項２又は３の接続用クリップ。
【請求項５】
前記導通片（１０）は、前記下側クリップ片（３）の抜止め部（８）から前方へ突出するように構成したものである、ことを特徴とする請求項２，３又は４の接続用クリップ。
【請求項６】
前記上側クリップ片（２）の鋸部（５）の一部と、前記下側クリップ片（３）の挟持部（７）と抜止め部（８）との両方を隠す程度の幅を備えた絶縁性の素材から成る絶縁用保護カバー（３２）を、該下側クリップ片（３）の長手方向、かつ先端側へ移動自在に該下側クリップ片（３）に取り付けた、ことを特徴とする請求項１，２，３，４又は５の接続用クリップ。
【請求項７】
前記絶縁用保護カバー（３２）を、前記下側クリップ片（３）の両側面それぞれに移動自在に取り付けた、ことを特徴とする請求項６の接続用クリップ。
【発明の詳細な説明】
【技術分野】
【０００１】
本発明は、制御装置等の機器の接続点検、接続試験を実施するときに使用する接続用クリップに係り、特に多数の端子があり、かつそれぞれの端子が隣接している遠隔監視制御装置及びＣＤＴ装置のような装置について点検、試験する際に、電源回路の短絡あるいは接地を防止することができる接続用クリップに関する。
【背景技術】
【０００２】
従来から、遠隔監視制御装置及びＣＤＴ装置について、その表示試験を行うときには接続用クリップを使用する。例えば、１つのＰＳＦ端子とＳＲ端子をヒューズ付クリップで接続させる。ＰＳＦ端子側は固定させ、クリップの反対側をＳＲ端子に順次接続させて点検、試験を行う。
【０００３】
また、遠隔監視制御装置及びＣＤＴ装置の計測値のデジタル入力試験について、そのＢＣＤコード入力試験を行うときにも接続用クリップを使用する。例えば、ＰＳＦ端子と１２個の端子（１，２，４，８，１０，２０，４０，８０，１００，２００，４００，８００）を組み合わせで接続して点検、試験を行う。
【０００４】
このような制御装置等の端子における接続点検の際に使用する接続用クリップが種々提案されている。例えば、特許文献１の特開２００３−３６９０５公報「接続用クリップ金具片およびこれを用いた鰐口クリップ構造」に示すように、接続用クリップ金具片の前記先端接触部側を表出させて一側絶縁カバーを覆設してなる固定側クリップ部と、前記先端接触部と対面する先端圧接部を表出させた可動挟着片に他側絶縁カバーを覆設して固定側クリップ部に対し常閉方向へと付勢されて軸支された可動側クリップ部とを少なくとも備え、前記一側絶縁カバーがその基端側に備える導入筒部を介して外部から導入される前記ケーブルは、前記保持筒部を経た先端被覆部から突出させた芯線を一対の前記カシメ用突片によりカシメ固定して前記接続用クリップ金具片の側に接続させるとともに、挿通させた前記ケーブルを介して案内される弾性素材からなる絶縁スリーブを前記導入筒部に挿着してその内部を外部から遮蔽した鰐口クリップ構造が提案されている。
【特許文献１】特開２００３−３６９０５公報
【発明の開示】
【発明が解決しようとする課題】
【０００５】
しかし、このような遠隔監視制御装置及びＣＤＴ装置の表示試験中には、ＰＳＦ端子側は固定しているので、アースバーや筐体に反対側が触れると直流接地となり機器に支障を与えるおそれがある。また端子が斜めになっているため、奥側の端子はケーブルが邪魔になり作業性が悪く、接続用クリップを落としたり、アースバーや、筐体に触れて機器に支障を与えるおそれがある。またＰＳＦ端子とＮＳＦ端子が隣り合わせの場合があるため、端子台が奥側にあると、ＰＳＦ端子側を接続する時に作業性が悪く、ＰＳＦ端子とＮＳＦ端子を短絡する可能性があるという問題を有していた。
【０００６】
１つの端子台で２段の端子を備えている端子台では、下側の端子に接続する場合に、上の端子に接触する可能性があるという問題を有していた。
【０００７】
また、図１０に示すように、数値が７の場合に、ＰＳＦ端子と１、２，４の端子ｔを接続するときにも、実機器からのケーブルｃが邪魔な上、接続用クリップを複数接続するため、作業性が悪くクリップを落としたり、アースバーや筐体に触れて機器に支障を与えるおそれがある。また、ＰＳＦ端子側を接続する時にＰＳＦ端子とＮＳＦ端子を短絡する可能性があるという問題を有していた。
【０００８】
更に、図１１に示すように、端子ｔが狭い隙間に向かい合うように設けられた制御装置では、接続用クリップ５１で一方の端子ｔと通電試験を行うときに、対向する端子ｔの頭部と短絡しやすいという問題を有していた。
【０００９】
本発明は、かかる問題点を解決するために創案されたものである。すなわち、本発明の
目的は、端子との通電の機構そのものを変更することで、点検、試験の際に目的の端子以外の端子、アースバー、筺体に触れて電源回路が短絡あるいは接地することを防止でき、しかもその点検、試験作業を迅速かつ簡単に実施することができる接続用クリップを提供することにある。
【課題を解決するための手段】
【００１０】
本発明によれば、制御装置の接続点検、試験される個々の端子（ｔ）を挟むクリップが鰐口状になる接続用クリップであって、前記端子（ｔ）を挟む鋸部（５）を先端側に形成した、絶縁性を有する素材から成る上側クリップ片（２）と、前記上側クリップ片（２）と対向するように軸支する支持部（６）と、前記端子（ｔ）を捉える挟持部（７）と、該挟持部（７）に連続して抜止め部（８）を先端側に形成した、絶縁性を有する素材から成る下側クリップ片（３）と、前記下側クリップ片（３）内において、該下側クリップ片（３）の長手方向、かつ先端側へ出没自在に移動する導通具（４）と、を備えた、ことを特徴とする接続用クリップが提供される。
例えば、前記導通具（４）は、前記下側クリップ片（３）の先端側に、該下側クリップ片（３）の挟持部（７）の側縁から浮き出る程度の厚みを有する金属製の導通片（１０）を配置し、該下側クリップ片（３）内に、該導通片（１０）を押し出す押出し棒（１３）と操作用ボタン（１２）とを配置したものである。
【００１１】
前記導通片（１０）を前記下側クリップ片（３）の後端側へ常時引張るように、弾性部材（１４）を該導通片（１０）と該下側クリップ片（３）とに介在させたものが好ましい。
前記導通片（１０）は、その先端側が薄くなるように傾斜面（１５）を形成したものにすることができる。
前記導通片（１０）は、前記下側クリップ片（３）の抜止め部（８）から前方へ突出するように構成することができる。
【００１２】
前記上側クリップ片（２）の鋸部（５）の一部と、前記下側クリップ片（３）の挟持部（７）と抜止め部（８）との両方を隠す程度の幅を備えた絶縁性の素材から成る絶縁用保護カバー（３２）を、該下側クリップ片（３）の長手方向、かつ先端側へ移動自在に該下側クリップ片（３）に取り付けることができる。
前記絶縁用保護カバー（３２）を、前記下側クリップ片（３）の両側面それぞれに移動自在に取り付けることができる。
【発明の効果】
【００１３】
上記構成の発明では、制御装置の点検、試験の際に、個々の端子（ｔ）を上下側クリップ片（２，３）で挟むときに、この上下側クリップ片（２，３）は絶縁性を有する素材から成るので、この上下側クリップ片（２，３）が目的の端子（ｔ）以外の端子、アースバー、制御装置の筺体に触れても電源回路が短絡あるいは接地することはない。この上下側クリップ片（２，３）の鋸部（５）と挟持部（７）で端子（ｔ）を挟んだ状態で、導通具（４）の操作用ボタン（１２）を先端側へ押し出す。押し出された導通片（１０）は下側クリップ片（３）の挟持部（７）の側縁から浮き上がる程度の厚みを有するので、端子（ｔ）と接触して導通し、点検、試験をすることができる。このとき導通片（１０）の先端が端子（ｔ）を押し出しても、この端子（ｔ）は下側クリップ片（３）の抜止め部（８）で停止し、確実に導通させることができる。このように、本発明の接続用クリップ（１）は単に端子（ｔ）を挟んだだけでは通電しない。そこで、安心して接続用クリップ（１）を端子（ｔ）に掛け止め、通電による点検、試験といった一連の作業を迅速に行なうことができる。
【００１４】
弾性部材（１４）を下側クリップ片（３）と導通片（１０）に介在させた導通片（１０）では、この導通片（１０）を常時下側クリップ片（３）の後端側へ引っ張っているので、接続用クリップ（１）を端子（ｔ）に架け止めるときに、誤って内部の導通具（４）の導通片（１０）がこの端子（ｔ）に接触することを防止することができる。
また、片側を電源回路に接続している状態で、接続用クリップ（１）が落ちて金属部に接触しても、導通片（１０）が内部に引張られて隠れているため、電源回路の接地は発生しない。
その先端側が薄くなるように傾斜面（１５）を形成した導通片（１０）では、この傾斜面（１５）に端子（ｔ）を接触させるために、接触面積が広く確実に導通させることができる。
【００１５】
また、下側クリップ片（３）の抜止め部（８）から前方へ突出するように構成した導通片（１０）では、端子（ｔ）の頭部に上下側クリップ片（２，３）を押し当てた状態でも、導通具（４）の操作用ボタン（１２）を先端側へ押出し、通電試験、点検をすることができる。
【００１６】
上下側クリップ片（２，３）の先端側の側面を覆う絶縁用保護カバー（３２）は、両クリップ片（２，３）を端子（ｔ）に挟むときに、開けた両クリップ片（２，３）の内部に他の端子、電線が接して、導通片（１０）と接触することを防止することができる。必要のないときは元の位置に戻しておくことにより、試験、点検作業のじゃまにならない。
【００１７】
絶縁用保護カバー（３２）は、下側クリップ片（３）の両側面に取り付けることにより、試験、点検する端子（ｔ）が左側にあるときは、その反対の右側の絶縁用保護カバー（３２）を飛び出させる。逆に試験、点検する端子（ｔ）が右側にあるときは、その反対の左側の絶縁用保護カバー（３２）を飛び出させ、短絡を防止することができ、左右いずれの位置に端子（ｔ）があっても迅速に点検、試験をすることができる。
【発明を実施するための最良の形態】
【００１８】
本発明の接続用クリップは、制御装置の接続点検、試験される個々の端子を挟むクリップが鰐口状になる接続用クリップであり、この端子を挟んだだけでは通電せず、短絡の心配がない接続用クリップである。
【実施例１】
【００１９】
以下、本発明の好ましい実施の形態を図面を参照して説明する。
図１は実施例１の接続用クリップを示し、（ａ）は正面図、（ｂ）は平断面図、（ｃ）は絶縁蓋体を一部切欠いた平断面図である。図２は実施例１の接続用クリップの導通片を出した状態を示し、（ａ）は正面図、（ｂ）は平断面図である。
本発明の接続用クリップ１は、制御装置の接続点検される個々の端子ｔを挟むクリップが鰐口状になる接続用クリップであり、上側クリップ片２と、この上側クリップ片２と対向する下側クリップ片３とから成り、下側クリップ片３内において下側クリップ片３の長手方向、かつ先端側へ出没自在に移動する導通具４とを備えた接続用クリップである。
なお、ここで上側クリップ片２と下側クリップ片３と表現したのは部材の説明の便宜上、上側下側と区分けしたもので、実際の点検、試験作業の使用に際して、本発明の接続用クリップ１を、上下を逆転して使用、水平に持って使用できることは勿論である。
【００２０】
上側クリップ片２は、端子ｔを挟む鋸部５を先端側に形成したクリップ片である。この鋸部５は端子ｔの軸部分を挟みやすくする部分である。この上側クリップ片２は、例えば横断面形状が下向き略コ字形状、逆Ｕ字形状の絶縁性を有する素材から成る。
【００２１】
下側クリップ片３は、上側クリップ片２と対向するように軸支する支持部６と、端子ｔを捉える挟持部７と、挟持部７に連続して抜止め部８を先端側に形成したクリップ片である。この下側クリップ片３も、例えば横断面形状が上向き略コ字形状、Ｕ字形状の絶縁性を有する素材から成る。この下側クリップ片３と上側クリップ片２とは支持部６で巻きばね９で先端側が閉じるように付勢されている。
【００２２】
この下側クリップ片３は、上側クリップ片２と同様に、例えばクリップ片の全体を合成樹脂で製造したもの、又は金属製のクリップ片の周囲に合成樹脂を被覆したものなどがある。絶縁性を有する素材であればこれらの素材に限定されない。
【００２３】
この下側クリップ片３内において、下側クリップ片３の長手方向、かつ先端側へ出没自在に移動する導通具４を備えている。この導通具４は、下側クリップ片３の先端側に、下側クリップ片３の挟持部７の側縁から浮き出る程度の厚みを有する金属製の導通片１０を配置したものである。この下側クリップ片３の後端側の側縁にスリット１１を開け、ここに操作用ボタン１２を通す。この操作用ボタン１２と導通片１０とを押出し棒１３で連結し、操作用ボタン１２を押し出すことにより、導通片１０を押し出すことができる。この導通片１０にはリード線Ｌを接続している。
更に、下側クリップ片３の開口は、導通片１０が露出しないように、絶縁性を有する素材から成る長方形状の絶縁蓋体３ａで覆っている。この絶縁蓋体３ａにより、接続用クリップ１で端子ｔを挟むだけでは、この端子ｔが導通片１０に接しないようになっている。
【００２４】
図３は実施例１の接続用クリップで端子の軸部を挟み、この端子に導通片を接触させた状態を示す正面図である。
このように構成した接続用クリップ１では、端子ｔの軸部を挟む際に、導通具４を図１に示すように下側クリップ片３内に収納しておく。このとき、本発明の接続用クリップ１は、上下側クリップ片２，３は絶縁性を有する素材から成り、この上下側クリップ片２，３が目的の端子ｔ以外の端子ｔ、アースバー、制御装置の筺体に触れても電源回路が短絡あるいは接地することはない。
【００２５】
次に、この上下側クリップ片２，３の鋸部５と挟持部７とに端子ｔの軸部を挟んだ状態で、導通具４の操作用ボタン１２を先端側へ押し出す。これで押し出された導通片１０は下側クリップ片３の挟持部７の側縁から浮き上がる程度の厚みを有するので、端子ｔと接触し、導通させることができる。このとき導通片１０の先端が端子ｔを押し出すことがあっても、この端子ｔは下側クリップ片３の抜止め部８で停止し、導通片１０と接触して確実に導通させることができる。このように単に端子ｔを挟んだだけでは通電しないので、安心して接続用クリップ１を端子ｔに掛け止め、通電による点検、試験といった一連の作業を迅速に行なうことができる。
【００２６】
図４は実施例１の接続用クリップの他の実施例を示す平断面図である。
この実施例は、導通片１０を下側クリップ片３の後端側へ常時引張るように、コイルばね、又はゴムのような弾性部材１４を下側クリップ片３と導通片１０とに介在させた。例えば、導通片１０の押出し棒１３と下側クリップ片３との間に弾性部材１４を取り付けたものである。
【００２７】
このように導通片１０を下側クリップ片３の後端側へ引張るように弾性部材１４を下側クリップ片３に取り付けたので、本発明の接続用クリップ１を端子ｔに挟むときに、内部の導通具４の導通片１０が、不用意にこの端子ｔ等に接触することを防止できる。
また、片側を電源回路に接続した状態で、本発明の接続用クリップ１が落ちて金属部に接触しても、導通片１０が内部に引張られ、絶縁蓋体３ａに覆われているため、電源回路の接地は発生しない。
【００２８】
図５は実施例１の接続用クリップの他の実施例を示す部分拡大正面図である。
本発明の導通片１０は図２（ａ）に示したように、薄い板状の形状に限定されず、図５に示すように、その先端側が薄くなるように傾斜面１５を形成したものでもよい。このように導通片１０に傾斜面１５を形成することにより、この傾斜面１５に端子ｔを接触させることができ、確実に導通させることができる。
【実施例２】
【００２９】
図６は実施例２の接続用クリップの導通片を出した状態を示し、（ａ）は正面図、（ｂ）は平断面図と（ｃ）は拡大側面図である。
実施例２の接続用クリップ２１は、導通片１０を、下側クリップ片３の抜止め部８から接続用クリップ１の長手方向の前方へ突出するように構成した。導通具４の導通片１０は、その板状の先端部を端子ｔの軸部に接触させる構造に限定されない。この実施例２のように、接続用クリップ１の上下側クリップ片２，３の先端部分、即ち抜止め部８から更に前方に突出するように構成することができる。
【００３０】
このように実施例２の接続用クリップ２１の構成では、端子ｔの頭部に上下側クリップ片２，３を押し当てた状態で、導通具４の操作用ボタン１２を先端側へ押し出すだけで、導通片１０を端子ｔの頭部に接触させ、通電試験、点検をすることができる。点検、試験する端子ｔの形状に応じて、容易に使い分けることができる。
【実施例３】
【００３１】
図７は実施例３の絶縁用保護カバーを具備した接続用クリップを示し、（ａ）は正面図と、（ｂ）は平断面図である。図８は実施例３の接続用クリップの絶縁用保護カバーを出す状態を示す正面図である。図９は実施例３の接続用クリップの絶縁用保護カバーで端子を保護している状態を示す正面図である。
実施例３の接続用クリップ３１は、上側クリップ片２の鋸部５と、下側クリップ片３の挟持部７と抜止め部８との両方を隠す程度の幅を備えた絶縁性の素材から成る絶縁用保護カバー３２を、下側クリップ片３の長手方向かつ先端側へ自在に移動するように、下側クリップ片３に取り付けた。例えば、下側クリップ片３の先端側の側縁にスリット３３を開け、ここに絶縁用保護カバー３２の突起（図示していない。）をスライド自在に通し、絶縁用保護カバー３２に設けた操作用ボタン３４でスライド移動させる。
【００３２】
このように上下側クリップ片２，３の先端側の側面を覆う絶縁用保護カバー３２は、両クリップ片２，３で端子ｔを挟むときに、開けた両クリップ片２，３の内部に他の端子、電線が接して、導通片１０と接触することを防止できる。必要のないときは元の位置に戻しておくことにより、試験、点検作業のじゃまにならない。
【００３３】
この絶縁用保護カバー３２は、図示するように下側クリップ片３の両側面に取り付けることができる。このように絶縁用保護カバー３２を、下側クリップ片３の両側面に取り付けることにより、試験、点検する端子ｔが左側にあるときは、その反対の右側の絶縁用保護カバー３２を飛び出させる。逆に試験、点検する端子ｔが右側にあるときは、その反対の左側の絶縁用保護カバー３２を飛び出させ、両クリップ片２，３で端子ｔを挟むときに、開けた両クリップ片２，３の内部に他の端子、電線が接して、導通片１０と接触することを防止することができる。
勿論、この絶縁用保護カバー３２は、片側に取り付けることも可能である。
【００３４】
なお、本発明は、端子ｔとの通電の機構そのものを変更することで、点検、試験の際に目的の端子ｔ以外の端子ｔ、アースバー、筺体に触れて電源回路が短絡あるいは接地することを防止でき、しかもその点検、試験作業を迅速かつ簡単に実施することができれば、上述した発明の実施の形態に限定されず、本発明の要旨を逸脱しない範囲で種々変更できることは勿論である。
【産業上の利用可能性】
【００３５】
本発明の接続用クリップは、遠隔監視制御装置及びＣＤＴ装置の接続点検する際に利用することができ、更に多数の端子が隣接している制御装置等の接続点検作業の際に利用することができる。
【図面の簡単な説明】
【００３６】
【図１】実施例１の接続用クリップを示し、（ａ）は正面図、（ｂ）は平断面図、（ｃ）は絶縁蓋体を一部切欠いた平断面図である。
【図２】実施例１の接続用クリップの導通片を出した状態を示し、（ａ）は正面図、（ｂ）は平断面図である。
【図３】実施例１の接続用クリップで端子の軸部を挟み、この端子に導通片を接触させた状態を示す正面図である。
【図４】実施例１の接続用クリップの他の実施例を示す平断面図である。
【図５】実施例１の接続用クリップの他の実施例を示す部分拡大正面図である。
【図６】実施例２の接続用クリップの導通片を出した状態を示し、（ａ）は正面図、（ｂ）は平断面図と（ｃ）は拡大側面図である。
【図７】実施例３の絶縁用保護カバーを具備した接続用クリップを示し、（ａ）は正面図と、（ｂ）は平断面図である。
【図８】実施例３の接続用クリップの絶縁用保護カバーを出す状態を示す正面図である。
【図９】実施例３の接続用クリップの絶縁用保護カバーで端子を保護している状態を示す正面図である。
【図１０】制御装置の個々の端子に実機器からのケーブルを接続した状態を示す説明図である。
【図１１】端子が向かい合うように設けられた状態を示す正面図である。
【符号の説明】
【００３７】
１，２１，３１  接続用クリップ
２  上側クリップ片
３  下側クリップ片
４  導通具
５  鋸部
６  支持部
７  挟持部
８  抜止め部
１０  導通片
１２  操作用ボタン
１３  押出し棒
１４  弾性部材
１５  傾斜面
３２  絶縁用保護カバー
ｔ  端子
【図１】
2009301818.tif 000003
【図２】
2009301818.tif 000004
【図３】
2009301818.tif 000005
【図４】
2009301818.tif 000006
【図５】
2009301818.tif 000007
【図６】
2009301818.tif 000008
【図７】
2009301818.tif 000009
【図８】
2009301818.tif 000010
【図９】
2009301818.tif 000011
【図１０】
2009301818.tif 000012
【図１１】
2009301818.tif 000013